(57)【要約】群のための推薦を生成する方法が開示される。本方法は、それぞれユーザーを表わす複数のユーザー表現の表示を提供するステップ（１００５）と；群を形成する前記ユーザー表現のうちの少なくとも二つのユーザー表現の選択を受領するステップ（１０１０）と；前記群が形成されたのちにメディア資産についての少なくとも一つの推薦の表示を提供するステップ（１０１５）と；それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示を提供するステップ（１０２０）とを含む。
2016517654.tif 000002
【特許請求の範囲】
【請求項１】
推薦を選択する方法であって、
それぞれユーザーを表わす複数のユーザー表現の表示を提供するステップと、
ユーザー入力に応答して、群を形成する前記ユーザー表現のうちの少なくとも二つのユーザー表現の選択を受領するステップと、
前記群が形成されたのちにメディア資産についての少なくとも一つの推薦の表示を提供するステップと、
それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示を提供するステップとを含む、
方法。
【請求項２】
前記少なくとも一つの推薦は、前記群内のユーザー表現に関連付けられた前記ユーザー装置における表示のために利用可能である、請求項１記載の方法。
【請求項３】
前記群内の前記の選択された許容ユーザー表現が選択を行なった後に、前記許容ユーザー表現として前記群内の別のユーザー表現が選択されることを示す前記インジケーターの表示を提供するステップをさらに含む、請求項２記載の方法。
【請求項４】
前記の選択された許容ユーザー表現は、前記群内の他のすべてのユーザー表現が前記許容ユーザー表現として選択されてしまうまで再び選択されることを妨げられる、請求項３記載の方法。
【請求項５】
ユーザー表現がランダムな仕方で前記許容ユーザー表現として選択される、請求項４記載の方法。
【請求項６】
ユーザー表現がラウンドロビン式に前記許容ユーザー表現として選択される、請求項４記載の方法。
【請求項７】
第一の時間区間にはいる前記少なくとも一つの推薦の第一の集合が開始時刻に従って表示され、前記第一の集合の開始時刻は前記第一の時間区間内である、請求項２記載の方法。
【請求項８】
前記群内の前記ユーザー表現の表示を円状に提供するステップをさらに含む、請求項７記載の方法。
【請求項９】
前記群のまわりのある方向の回転運動を検出するのに応答して、前記第一の集合を、表示において前記少なくとも一つの推薦内の第二の集合で置き換えるステップであって、第二の時間区間が前記第一の時間区間より後であり、前記少なくとも一つの推薦内の前記第二の集合は前記第二の時間区間内に開始時刻をもつ、ステップと、
前記群のまわりの逆方向の回転運動を検出するのに応答して、前記第一の集合を、表示において前記少なくとも一つの推薦内の第三の集合で置き換えるステップであって、第三の時間区間が前記第一の時間区間より前であり、前記少なくとも一つの推薦内の前記第三の集合は前記第三の時間区間内に開始時刻をもつ、ステップとをさらに含む、
請求項８記載の方法。
【請求項１０】
前記選択された推薦はサーバーによって待ち行列に入れられ、前記サーバーは、前記少なくとも一つの選択された推薦のうちの前記選択されたものの開始時刻が到達したときに、前記選択された推薦を送達する、請求項２記載の方法。
【請求項１１】
推薦を選択するためのユーザー装置であって、
表示装置とのインターフェースをもつビデオ・プロセッサと、
前記ビデオ・プロセッサが表示信号を生成できるようにするコントローラとを有しており、前記コントローラは、それぞれユーザーを表わす複数のユーザー表現の表示と、群を形成する前記ユーザー表現のうちの少なくとも二つのユーザー表現の選択と、前記群が形成された後の、メディア資産についての少なくとも一つの推薦の表示と、それぞれ前記群内の前記ユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示とを可能にするよう動作する、
ユーザー装置。
【請求項１２】
前記群内の前記の選択された許容ユーザー表現が選択をしたのち、前記コントローラは、前記許容ユーザー表現として前記群内の別のユーザー表現が選択されることを示す前記インジケーターの表示を可能にするよう動作する、請求項１１記載のユーザー装置。
【請求項１３】
前記の選択された許容ユーザー表現は、前記群内の他のすべてのユーザー表現が前記許容ユーザー表現として選択されてしまうまで再び選択されることを妨げられる、請求項１２記載のユーザー装置。
【請求項１４】
前記コントローラは、開始時刻に従っての、第一の時間区間にはいる前記少なくとも一つの推薦の第一の集合の表示を可能にするよう動作し、前記第一の集合の開始時刻は前記第一の時間区間内である、請求項１２記載のユーザー装置。
【請求項１５】
前記コントローラは、前記群内の前記ユーザー表現の円状の表示を可能にする、請求項１４記載のユーザー装置。
【請求項１６】
前記コントローラは、前記群のまわりのある方向の回転運動を検出するのに応答して、前記第一の集合を、表示において前記少なくとも一つの推薦内の第二の集合で置き換えるよう動作し、第二の時間区間が前記第一の時間区間より後であり、前記少なくとも一つの推薦内の前記第二の集合は前記第二の時間区間内に開始時刻をもち、
前記コントローラは、前記群のまわりの逆方向の回転運動を検出するのに応答して、前記第一の集合を、表示において前記少なくとも一つの推薦内の第三の集合で置き換え、第三の時間区間が前記第一の時間区間より前であり、前記少なくとも一つの推薦内の前記第三の集合は前記第三の時間区間内に開始時刻をもつ、
請求項１５記載のユーザー装置。
【請求項１７】
推薦を選択するためのユーザー装置であって、
表示装置とのインターフェースをもつ手段と、
前記インターフェースをもつ手段が表示信号を生成できるようにする手段とを有しており、前記生成できるようにする手段は、それぞれユーザーを表わす複数のユーザー表現の表示と、群を形成する前記ユーザー表現のうちの少なくとも二つのユーザー表現の選択と、前記群が形成された後の、メディア資産についての少なくとも一つの推薦の表示と、それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示とを可能にするよう動作する、
ユーザー装置。
【請求項１８】
前記群内の前記選択された許容ユーザー表現が選択をしたのち、前記生成できるようにする手段は、前記許容ユーザー表現として前記群内の別のユーザー表現が選択されることを示す前記インジケーターの表示を可能にするよう動作する、請求項１７記載のユーザー装置。
【請求項１９】
前記の選択された許容ユーザー表現は、前記群内の他のすべてのユーザー表現が前記許容ユーザー表現として選択されてしまうまで再び選択されることを妨げられる、請求項１８記載のユーザー装置。
【請求項２０】
前記生成できるようにする手段は、開始時刻に従っての、第一の時間区間にはいる前記少なくとも一つの推薦の第一の集合の表示を可能にするよう動作し、前記第一の集合の開始時刻は前記第一の時間区間内である、請求項１８記載のユーザー装置。
【請求項２１】
前記生成できるようにする手段は、前記群内の前記ユーザー表現の円状の表示を可能にするよう動作する、請求項２０記載のユーザー装置。
【請求項２２】
前記生成できるようにする手段は、前記群のまわりのある方向の回転運動を検出するのに応答して、前記第一の集合を、表示において前記少なくとも一つの推薦内の第二の集合で置き換えるよう動作し、第二の時間区間が前記第一の時間区間より後であり、前記少なくとも一つの推薦内の前記第二の集合は前記第二の時間区間内に開始時刻をもち、前記生成できるようにする手段は、前記群のまわりの逆方向の回転運動を検出するのに応答して、前記第一の集合を、表示において前記少なくとも一つの推薦内の第三の集合で置き換え、第三の時間区間が前記第一の時間区間より前であり、前記少なくとも一つの推薦内の前記第三の集合は前記第三の時間区間内に開始時刻をもつ、請求項２１記載のユーザー装置。
【請求項２３】
推薦を提供する方法であって、
それぞれユーザーを表わす少なくとも二つのユーザー表現の群の形成を受領し、
前記少なくとも二つのユーザー表現のプロファイルに従って少なくとも一つの推薦を提供し、
それぞれ前記群内の前記ユーザー表現に関連付けられているユーザー装置による受領のために前記少なくとも一つの推薦のうちの一つを選択する前記群内の許容ユーザー表現として、前記群内の前記少なくとも二つのユーザー表現のうちの第一のものを選択することを含む、
方法。
【請求項２４】
前記群内の前記選択された許容ユーザー表現が選択を行なった後に、前記許容ユーザー表現として前記群内の別のユーザー表現を選択するステップをさらに含む、請求項２３記載の方法。
【請求項２５】
前記選択された許容ユーザー表現は、前記群内の他のすべてのユーザー表現が前記許容ユーザー表現として選択されてしまうまで再び選択されることを妨げられる、請求項２４記載の方法。
【請求項２６】
ユーザー表現は、ランダムな仕方で前記許容ユーザー表現として選択される、請求項２５記載の方法。
【請求項２７】
ユーザー表現は、ラウンドロビン式に前記許容ユーザー表現として選択される、請求項２５記載の方法。
【請求項２８】
前記少なくとも一つの推薦のうちの前記選択されたもののコンテンツを前記群内の前記ユーザー表現にそれぞれ関連付けられたユーザー装置に送るステップをさらに含む、請求項２３記載の方法。
【発明の詳細な説明】
【技術分野】
【０００１】
本開示は概括的にはメディア資産〔アセット〕推薦に、より詳細には対応するユーザー・プロファイル情報を使ってユーザー群〔グループ〕についての諸メディア資産推薦を生成し、群のユーザーに関連付けられたユーザー装置による受領のために、前記諸推薦のうちの一つを選択するよう、群内のユーザーを自動的に選択することに関する。
【背景技術】
【０００２】
ユーザーがメディア資産の形としての映画またはテレビ番組を見ることに関心があるとき、ユーザーは、該ユーザーがそれについて何も知らないメディア資産についての推薦を受け取ることを望むことがある。いくつかのシステムはユーザーに、その人のそのような資産の以前の消費に基づく該ユーザーに関連付けられたユーザー・プロファイル情報に基づく推薦を提供する。ユーザーが同時に第二の人と一緒にメディア資産を消費することを望む場合には、困難が生じることがある。従来のシステムは典型的には一人の人のためのメディア資産提案に対応するのである。よって、メディア資産についての提案は、前記ユーザーまたは前記第二の人に適するのみであり、両方にではない。
【発明の概要】
【課題を解決するための手段】
【０００３】
本発明のある側面によれば、推薦を選択する方法が開示される。本方法は、それぞれユーザーを表わす複数のユーザー表現の表示を提供するステップと；ユーザー入力に応答して、群を形成する前記ユーザー表現のうちの少なくとも二つの選択を受領するステップと；前記群が形成されたのちにメディア資産についての少なくとも一つの推薦の表示を提供するステップと；それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示を提供するステップとを含む。
【０００４】
ある実施形態では、前記少なくとも一つの推薦は、前記群内のユーザー表現に関連付けられたユーザー装置における表示のために利用可能である。
【０００５】
もう一つの実施形態では、本方法はさらに、前記群内の選択された許容ユーザー表現が選択を行なった後に、前記許容ユーザー表現として前記群内の別のユーザー表現が選択されることを示す前記インジケーターの表示を提供するステップをさらに含んでいてもよい。
【０００６】
さらにもう一つの実施形態では、第一の時間区間にはいる前記少なくとも一つの推薦の第一の集合が開始時刻に従って表示され、前記第一の集合の諸開始時刻は前記第一の時間区間内であり、本方法はさらに、前記群のまわりのある方向の回転運動を検出するのに応答して、前記第一の集合を、表示において前記少なくとも一つの推薦内の第二の集合で置き換えるステップであって、第二の時間区間は前記第一の時間区間より後であり、前記少なくとも一つの推薦内の前記第二の集合は前記第二の時間区間内に諸開始時刻をもつ、ステップと、前記群のまわりの逆方向の回転運動を検出するのに応答して、前記第一の集合を、表示において前記少なくとも一つの推薦内の第三の集合で置き換えるステップであって、第三の時間区間は前記第一の時間区間より前であり、前記少なくとも一つの推薦内の前記第三の集合は前記第三の時間区間内に開始時刻をもつ、ステップとを含む。
【０００７】
さらにもう一つの実施形態では、選択された推薦はサーバーによって待ち行列に入れられ、前記サーバーは、前記少なくとも一つの選択された推薦のうちの選択されたものの開始時刻が到達したときに、前記選択された推薦を送達する。
【０００８】
本発明のもう一つの側面によれば、推薦を選択するためのユーザー装置が開示される。本ユーザー装置は、表示装置とのインターフェースをもつビデオ・プロセッサと、前記ビデオ・プロセッサが表示信号を生成できるようにするコントローラとを有する。前記コントローラは、それぞれユーザーを表わす複数のユーザー表現の表示と、群を形成する前記ユーザー表現のうちの少なくとも二つの選択と；前記群が形成された後の、メディア資産についての少なくとも一つの推薦の表示と、それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示とを可能にするよう動作する。
【０００９】
ある実施形態では、前記群内の選択された許容ユーザー表現が選択をしたのち、前記コントローラは、前記許容ユーザー表現として前記群内の別のユーザー表現が選択されることを示す前記インジケーターの表示を可能にするよう動作する。
【００１０】
もう一つの実施形態では、前記コントローラは、開始時刻に従っての、第一の時間区間にはいる前記少なくとも一つの推薦の第一の集合の表示を可能にするよう動作し、前記第一の集合の諸開始時刻は前記第一の時間区間内である。
【００１１】
さらにもう一つの実施形態では、前記コントローラは、前記群のまわりのある方向の回転運動を検出するのに応答して、前記第一の集合を、表示において前記少なくとも一つの推薦内の第二の集合で置き換えるよう動作し、第二の時間区間は前記第一の時間区間より後であり、前記少なくとも一つの推薦内の前記第二の集合は前記第二の時間区間内に諸開始時刻をもち、前記コントローラは、前記群のまわりの逆方向の回転運動を検出するのに応答して、前記第一の集合を、表示において前記少なくとも一つの推薦内の第三の集合で置き換え、第三の時間区間は前記第一の時間区間より前であり、前記少なくとも一つの推薦内の前記第三の集合は前記第三の時間区間内に開始時刻をもつ。
【００１２】
もう一つの実施形態では、推薦を選択するためのユーザー装置が開示される。本ユーザー装置は、表示装置とのインターフェースをもつ手段と、前記ビデオ・プロセッサが表示信号を生成できるようにする手段とを有する。前記生成できるようにする手段は、それぞれユーザーを表わす複数のユーザー表現の表示と、群を形成する前記ユーザー表現のうちの少なくとも二つの選択と、前記群が形成された後の、メディア資産についての少なくとも一つの推薦の表示と、それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示とを可能にするよう動作する。
【００１３】
ある実施形態では、前記群内の選択された許容ユーザー表現が選択をしたのち、前記生成できるようにする手段は、前記許容ユーザー表現として前記群内の別のユーザー表現が選択されることを示す前記インジケーターの表示を可能にするよう動作する。
【００１４】
もう一つの実施形態では、前記生成できるようにする手段は、開始時刻に従っての、第一の時間区間にはいる前記少なくとも一つの推薦の第一の集合の表示を可能にするよう動作し、前記第一の集合の諸開始時刻は前記第一の時間区間内である。
【００１５】
さらにもう一つの実施形態では、前記生成できるようにする手段は、前記群のまわりのある方向の回転運動を検出するのに応答して、前記第一の集合を、表示において前記少なくとも一つの推薦内の第二の集合で置き換えるよう動作し、第二の時間区間が前記第一の時間区間より後であり、前記少なくとも一つの推薦内の前記第二の集合は前記第二の時間区間内に諸開始時刻をもち、前記生成できるようにする手段は、前記群のまわりの逆方向の回転運動を検出するのに応答して、前記第一の集合を、表示において前記少なくとも一つの推薦内の第三の集合で置き換え、第三の時間区間が前記第一の時間区間より前であり、前記少なくとも一つの推薦内の前記第三の集合は前記第三の時間区間内に開始時刻をもつ。
【００１６】
もう一つの実施形態では、選択された許容ユーザー表現は、前記群内の他のすべてのユーザー表現が許容ユーザー表現として選択されてしまうまで再び選択されることを妨げられる。
【００１７】
本発明のもう一つの側面によれば、群のための推薦を提供する方法が開示される。本方法は、それぞれユーザーを表わす少なくとも二つのユーザー表現の前記群の形成を受領し；前記少なくとも二つのユーザー表現のプロファイルに従って少なくとも一つの推薦を提供し；それぞれ前記群内のユーザー表現に関連付けられているユーザー装置による受領のために前記少なくとも一つの推薦のうちの一つを選択する前記群内の許容ユーザー表現として、前記群内の前記少なくとも二つのユーザー表現のうちの第一のものを選択することを含む。
【００１８】
ある実施形態では、本方法はさらに、前記群内の選択された許容ユーザー表現が選択を行なった後に、前記許容ユーザー表現として前記群内の別のユーザー表現を選択するステップを含む。
【００１９】
もう一つの実施形態では、選択された許容ユーザー表現は、前記群内の他のすべてのユーザー表現が前記許容ユーザー表現として選択されてしまうまで再び選択されることを妨げられる。
【００２０】
もう一つの実施形態では、ユーザー表現は、ランダムな仕方およびラウンドロビンの仕方の一方で前記許容ユーザー表現として選択される。
【図面の簡単な説明】
【００２１】
本開示のこれらおよび他の側面、特徴および利点は、好ましい実施形態の以下の詳細な説明から記述されるまたは明白になるであろう。詳細な説明は、付属の図面との関連で読まれるものである。
【００２２】
図面において、諸図面を通じて同様の参照符号は同様の要素を表わす。
【図１】本開示のある実施形態に基づくメディア資産を通信する例示的なシステムのブロック図である。
【図２】本開示のある実施形態に基づく例示的な消費装置のブロック図である。
【図３】本開示のある実施形態に基づくメディア資産推薦を生成するために使われるユーザー・インターフェースである。
【図４】本開示のある実施形態に基づくメディア資産推薦を生成するために使われるユーザー・インターフェースである。
【図５】本開示のある実施形態に基づくメディア資産推薦を生成するために使われるユーザー・インターフェースである。
【図６】本開示のある実施形態に基づくメディア資産推薦を生成するために使われるユーザー・インターフェースである。
【図７】本開示のある実施形態に基づくメディア資産推薦を生成するために使われるユーザー・インターフェースである。
【図８】本開示のある実施形態に基づくメディア資産推薦を生成するために使われるユーザー・インターフェースである。
【図９】本開示のある実施形態に基づくユーザー・インターフェースの操作に応答してメディア資産推薦を生成する方法の流れ図である。
【図１０】群内のユーザー表現に関連付けられたユーザー装置による受領のために結果ゾーン３８０に表示されている推薦を選択する、群内の各ユーザー表現を自動選択することを可能にするための例示的なプロセス・フローを示す図である。
【図１１】群内のユーザー表現のうちのどのユーザー表現が、群内のユーザー表現に関連付けられたユーザー装置による受領のために前記推薦のうちの一つを選択することを許容されるかを示すユーザー・インターフェース中のインジケーターを示す図である。
【図１２】ユーザーがユーザー・インターフェース１２００上での時計回りの回転アクションを開始することを示す図である。
【図１３】図１２に示されるユーザー・インターフェース１２００における時計回りの回転アクションがユーザー装置によって検出される結果として時間区間が進められた例示的なユーザー・インターフェース１３００を示す図である。
【図１４】それぞれ群内のユーザー表現に関連付けられたユーザー装置による受領のために前記少なくとも一つの推薦のうちの一つを選択する、群内の各ユーザー表現を自動選択することのための例示的なプロセス・フロー１４００を示す図である。
【発明を実施するための形態】
【００２３】
本明細書の目的のためには、用語、ソーシャル公開サービスは、インターネット・ベースのサービスであり、ユーザーは、ビデオ、オーディオ、ピクチャー、電子メッセージ、ウェブサイトへのリンク、メッセージ・テキストなどといった種々の型のメディア資産を公開サービスに投稿する。これらのメディア資産は次いで、該ソーシャル公開にアクセスするユーザーに提供される。いくつかのソーシャル公開サービスは、複数の型のメディア資産の公開をもサポートする。外部ユーザーは、ウェブ・ブラウザー、そのようなソーシャル公開サービスに直接アクセスする、ソーシャル公開サービスのために特別に書かれたクライアント・アプリケーションのようなプログラムを通じて、これらの公開されたメディア資産にアクセスすることができる。既存のソーシャル公開サービスの例は、FACEBOOK、TWITTER、FLICKR、PINTREST、INSTAGRAM、TUMBLR、YOUTUBEなどを含む。
【００２４】
ソーシャル公開サービスは、他のソーシャル公開サービスからメディア資産を受領することもできる。たとえば、ユーザーは自分の写真を第一のソーシャル公開サービスから第二の公開サービスに公開することができる。同じユーザーは、他の公開サービスからの他の型のメディア資産を前記第二の公開サービスに公開することもできる。加えて、いくつかの公開サービスは、他のユーザーから再投稿されたメディア資産をもつことができる。たとえば、第一のユーザーは、ソーシャル公開サービスを通じて第二のユーザーから受領されたメディア資産を公開することができる。ここで、そのような動作は再投稿動作と呼ばれる。
【００２５】
ソーシャル公開サービスからのメディア資産は、ユーザーに転送されることもできる。ここで、そのようなメディア資産は、サーバーとして実装されるデジタル・ロッカーのような記憶貯蔵部に収集されることができる。
【００２６】
用語、特定パーティーは、ユーザーがそのパーティーからメディア資産を受け取ることを許可して合意する人またはサービスに関する。一例では、ユーザーは、フェイスブックのようなソーシャル・ネットワーキング・サービス上の特定パーティーからの招待を受け入れ、該ソーシャル・ネットワーキング・サービスは、投稿動作、転送動作、通信動作、提供動作などを通じて、特定パーティーからのメディア資産をユーザーに対して利用可能にする。逆に、ユーザーは、ソーシャル・ネットワーキング・サービス上の特定パーティーに招待を送り、特定パーティーが招待を受け入れる場合には、特定パーティーによって公開されたメディア資産が該ユーザーに転送される。第二の例では、ユーザーはツイッターのようなソーシャル公開サービスを通じて、該ユーザーが特定パーティーからの投稿をフォローすることを望んでいることを示す。ユーザーと特定パーティーとの間の他のつながりが、開示される原理に従って生成されることができる。
【００２７】
第一のユーザーと第二のユーザーがソーシャル・ネットワーキング・サービスを通じて互いの「友達」であるときに、ユーザーはリンクされているまたはつながっているとして知られることができる。ここで、第一および第二のユーザーは、第三のユーザーの同じリスト上にリストされている、第一および第二のユーザーは暗黙的にまたは明示的に互いの許可を得て同じカテゴリーに一緒にグループ化されている、第一および第二のユーザーは、暗黙的または明示的にサードパーティーによって同じカテゴリーに一緒にグループ化されている、などである。
【００２８】
図１は、本開示に基づくシステム１００の例示的な実施形態である。消費装置１０５は、コンピュータ、セットトップボックス、タブレット、テレビジョン、電話、パーソナル・アクセス・デバイス、ゲートウェイなど、消費装置１１０または消費装置１１５のような他の装置に電子通信を通信するために使われる装置を表わす。
【００２９】
消費装置１０５、１１０および１１５を操作するユーザー間でのメディア資産の公開は、ソーシャル・ネットワーク・サービス１２０のようなさまざまなソーシャル公開サービスを通じて行なわれることができる。ソーシャル・ネットワーキング・サービスの例は、FACEBOOK、GOOGLE+、MYSPACE、LINKEDIN、PINTREST、INSTAGRAM、TUMBLRなどを含むがそれに限られない。ユーザー間でのソーシャル公開サービスを介したメディア資産の通信は、ウェブサイト１３０および／または電話接続、衛星、接続、セルラー・ネットワーク、Wi-Fiデジタル加入者線（DSL）、インターネット通信などを含むがそれに限られない通信ネットワーク１４０を介して行なわれることもできる。メディア・サービス・プロバイダー１５０は、NETFLIX、M-GO、AMAZON  CLOUD  SERVICE、ITUNES、PANDORA、FLICKRなどを含むがそれに限られない。消費装置１０５、１１０および１１５のような装置を使うユーザーの間でメディア資産を通信するために使われることもできる。
【００３０】
フィルタリング・サーバー１６０は、消費装置１０５、１１０および１２０の間のメディア資産の送達をフィルタリングすることができる。すなわち、メディア資産はソーシャル公開サービスから通信されるが、そのようなメディア資産が種々の消費装置に対して利用可能にされるべきかどうかを判定するために、まずフィルタ・サーバー１６０に通信される。フィルタ・サーバー１６０は、メディア資産が特定の型のものであるかどうか、指定されたソーシャル公開サービスからくるものかどうか、そのようなソーシャル公開サービスを使って特定パーティーによって公開されるものかどうか、該メディア資産が誰に通信されようとしているかを判定するよう構成されることができる。そのような情報は、ソーシャル公開サービス自身、種々のユーザーのプロファイル情報を含むプロファイル・サーバー１７０、ユーザー自身などからくることができる。上記に挙げた判定に基づいて、フィルタ・サーバー１６０は、メディア資産をユーザーに通信する、メディア資産のユーザーへの通信を防止する、メディア資産をユーザーに転送する、メディア資産のユーザーへの転送をブロックする、メディア資産をフィルタリングする、メディア資産を提供する、メディア資産に対するアクセス特権を変更するなどをすることができる。
【００３１】
ある任意的な実施形態では、フィルタリング・サーバー１６０の動作は、ソーシャル・ネットワーキング・サービス１２０のようなソーシャル公開サービス、通信ネットワーク１４０、メディア・サービス・プロバイダー１５０などの内部で実行されることができる。もう一つの任意的な実施形態では、フィルタリング・サーバー１６０は、消費装置１０５、１１１、１１５などの内部で実行されることができる。
【００３２】
プロファイル・サーバー１７０は、ユーザーが受け取ることを望むメディア資産の型、使用されるソーシャル公開サービス、そのようなソーシャル公開サービスを通じてユーザーがつながっている特定パーティー、メディア資産フィルタリング・データなどを含むユーザーの選好を示すユーザー・プロファイル・データを含んでいる。そのようなデータは、消費装置１０５、１１０、１１５、ソーシャル・ネットワーキング・サービス１２０、ウェブサイト１３０、通信ネットワーク１４０、メディア・サービス・プロバイダー１５０、フィルタリング・サービス１６０、ユーザー、他のソーシャル公開サービスなどといった源からくることができる。
【００３３】
プロファイル・サーバー１７０は、選好と、ユーザーが過去に消費した具体的なメディア資産とを追跡するよう実装されることができる。特に、ユーザーが消費装置１０５、１１０、１１５の点で、メディア・サービス・プロバイダー１５０のような源から送達されることができるメディア資産を消費するとき、ユーザーは、そのような資産についてのランク付けを指示することによってメディア資産についての好きまたは嫌いを示すことができる。プロファイル・サービス１７０は、ユーザーが実際にメディア資産をどのように消費するかを追跡するよう実装されることもできる。この場合、たとえば、メディア資産が完全に再生される前に停止されるメディア資産は、メディア資産を呈示の終わりまで視聴するユーザーによって完全に消費されるメディア資産より、低いランク付けをもつことができる。例示的な原理に従ってユーザー・プロファイルを形成するために他の方法論が使われることができる。ここで、そのようなユーザー・プロファイル情報は、消費装置１０５、１１０、１１５などを使う複数のユーザーについて形成されることができる。
【００３４】
推薦サーバー１７５は、消費装置１０５、１１０、１１５、ソーシャル・ネットワーキング・サービス１２０、ウェブサイト１３０、通信ネットワーク１４０、メディア・サービス・プロバイダー１５０、フィルタリング・サーバー１６０、ユーザー・プロファイル・サーバー１７０、記憶サーバー１８０などといった源からくることができるユーザー・プロファイル情報に基づいて推薦を与えるよう実装されるサーバーである。特に、推薦サーバー１７５が提供する推薦は、ユーザーにとって関心があるであろうメディア資産についてのものである。ここで、推薦は、そのユーザーのユーザー・プロファイル・データに鑑みてなされる。推薦サーバー１７５の実装は、ユーザー・プロファイル情報からユーザー・プロファイル・データをデータマイニングする解析ソフトウェアと、消費装置１０５、１１０、１１５、ソーシャル・ネットワーキング・サービス１２０、ウェブサイト１３０、通信ネットワーク１４０、メディア・サービス・プロバイダー１５０、記憶サーバー１８０などを通じて消費のために利用可能なさまざまなメディア資産をリストするデータとを利用することができる。推薦サーバー１７５は、促されたときに、一または複数のユーザーについての推薦を与えることもできる。ここで、該推薦は、二人以上のユーザーが同じコンテンツを消費するとした場合に該二人以上のユーザーにとって関心があるであろうものである。たとえば、メディア・サービス・プロバイダー１５０は、本稿に記載されるような仕方でつながっている二人以上のユーザーが同時に同じメディア資産を視聴することを要求できるパーティー閲覧モードをオファーすることができる。その場合、推薦サーバー１７５は、該二人以上のユーザーにとって関心があるであろう一つまたは複数のメディア資産を推薦することができる。ここで、そのようなメディア資産は、パーティー閲覧モードの間にメディア・サービス・プロバイダー１５０から利用可能となる。推薦は、二人以上のユーザーが異なる時間にメディア資産にアクセスすることに関心があるが、それらのユーザーはそれでも該ユーザーにとってどのメディア資産が関心あるものであるかを知ることを望むという他の場面で送達されることもできる。二人以上のユーザーが、提示される例示的な原理に従ってメディア資産についての推薦を受け取ることを望むとき、他のアプローチが適用されることができる。
【００３５】
記憶サーバー１８０は、消費装置１０５、１１０、１１５、ソーシャル・ネットワーキング・サービス１２０、ウェブサイト１３０、通信ネットワーク１４０、メディア・サービス・プロバイダー１５０、フィルタリング・サービス１６０、ユーザー、他のソーシャル公開サービスなどといった源から通信されるメディア資産を含んでいる。記憶サーバー１８０は、メディア資産についての記憶ロッカーを機能させることもできる。
【００３６】
ここで図２に目を転じると、消費装置２００のある実施形態のブロック図が示されている。示されている装置２００は、オーディオ装置または表示装置を含む他のシステムに組み込まれることができる。いずれの場合にも、本システムの完全な動作のために必要ないくつかのコンポーネントは、当業者にはよく知られているため、簡明のため、示されていない。
【００３７】
図２に示される装置２００では、コンテンツは入力信号受領器２０２によって受領される。入力信号受領器２０２は、空中、ケーブル、衛星、イーサネット〔登録商標〕、ファイバーおよび電話線ネットワークを含むいくつかの可能なネットワークの一つを通じて提供される信号を受信、復調および復号するために使われるいくつかの既知の受領器回路の一つであることができる。所望される入力信号は、制御インターフェースまたはタッチパネル・インターフェース２２２を通じて提供されるユーザー入力に基づいて入力信号受領器２０２によって選択され、取得されることができる。タッチパネル・インターフェース２２２は、タッチスクリーン装置のためのインターフェースを含むことができる。タッチパネル・インターフェース２２２は、携帯電話、タブレット、マウス、高機能リモコンなどへのインターフェースをもつよう適応されることもできる。
【００３８】
復号された出力信号は、入力ストリーム・プロセッサ２０４に与えられる。入力ストリーム・プロセッサ２０４は最終的な信号選択および処理を実行し、コンテンツ・ストリームについてのオーディオ・コンテンツからビデオ・コンテンツの分離を含む。オーディオ・コンテンツは、圧縮デジタル信号のような受領されたフォーマットからアナログ波形信号への変換のためのオーディオ・プロセッサ２０６に与えられる。アナログ波形信号はオーディオ・インターフェース２０８に与えられ、さらに表示装置またはオーディオ増幅器に与えられる。あるいはまた、オーディオ・インターフェース２０８は、高精細度マルチメディア・インターフェース（HDMI:  High-Definition  Multimedia  Interface）ケーブルまたはソニー／フィリップス・デジタル相互接続フォーマット（SPDIF:  Sony/Philips  Digital  Interconnect  Format）などを介する代わりのオーディオ・インターフェースを使って、デジタル信号をオーディオ出力装置または表示装置に与えることができる。オーディオ・インターフェースは、一つまたは複数のセットのスピーカーを駆動するための増幅器をも含むことができる。オーディオ・プロセッサ２０６は、オーディオ信号の記憶のための必要な変換があればそれも実行する。
【００３９】
入力ストリーム・プロセッサ２０４からのビデオ出力はビデオ・プロセッサ２１０に与えられる。ビデオ信号はいくつかのフォーマットの一つであってもよい。ビデオ・プロセッサ２１０は、必要に応じて、入力信号フォーマットに基づいて、ビデオ・コンテンツの変換を提供する。ビデオ・プロセッサ２１０はまた、ビデオ信号の記憶のための必要な変換があればそれも実行する。
【００４０】
記憶装置２１２は入力において受領されたオーディオおよびビデオ・コンテンツを記憶する。記憶装置２１２は、コントローラ２１４の制御のもとで、またユーザー・インターフェース２１６および／またはタッチパネル・インターフェース２２２から受領されるコマンド、たとえば早送り（FF:  fast-forward）および巻き戻し（Rew:  rewind）のようなナビゲーション命令にも基づいて、コンテンツののちの取得および再生を許容する。記憶装置２１２はハードディスク・ドライブ、静的RAM（SRAM）もしくは動的RAM（DRAM）のような一つまたは複数の大容量の集積電子メモリであってもよく、あるいはコンパクト・ディスク（CD）・ドライブまたはデジタル・ビデオ・ディスク（DVD）・ドライブのような交換可能な光ディスク記憶システムであってもよい。
【００４１】
入力にまたは記憶装置２１２に由来する、ビデオ・プロセッサ２１０からの変換されたビデオ信号は、ディスプレイ・インターフェース２１８に与えられる。ディスプレイ・インターフェース２１８はさらに、上記の型の表示装置に表示信号を提供する。ディスプレイ・インターフェース２１８は、赤緑青（RGB）のようなアナログ信号インターフェースであってもよく、あるいはHDMIのようなデジタル・インターフェースであってもよい。ディスプレイ・インターフェース２１８が、のちにより詳細に述べるように、二次元の形で検索結果を呈示するためのさまざまな画面を生成することが理解される。
【００４２】
コントローラ２１４はバスを介して、入力ストリーム・プロセッサ２０２、オーディオ・プロセッサ２０６、ビデオ・プロセッサ２１０、記憶装置２１２およびユーザー・インターフェース２１６を含む装置２００のコンポーネントのいくつかに相互接続される。コントローラ２１４は、入力ストリーム信号を記憶装置上での記憶のためまたは表示のための信号に変換するための変換プロセスを管理する。コントローラ２１４は、記憶されたコンテンツの取り出しおよび再生をも管理する。さらに、後述するように、コントローラ２１４は、コンテンツの検索ならびに記憶されることができる、または上記の記憶サーバー１８０を介して送達されるべきコンテンツを表わすグラフィック・オブジェクトの表示の生成および調整のための検索エンジンとインターフェースをもつことができる。
【００４３】
コントローラ２１４はさらに、コントローラ２１４のための情報および命令コードを記憶する制御メモリ２２０（たとえば、RAM、SRAM、DRAM、ROM、プログラム可能型ROM（PROM）、フラッシュ・メモリ、電子的にプログラム可能なROM（EPROM）、電子的に消去可能なプログラム可能型ROM（EEPROM）などを含む揮発性もしくは不揮発性メモリ）に結合される。制御メモリ２２０はコントローラ２１４のための命令を記憶することができる。制御メモリ２２０は、要素のデータベースを記憶することもできる。要素とは、コンテンツを含むグラフィック要素、ディスプレイ・インターフェース２１８のための表示されるユーザー・インターフェースを生成するために使われるさまざまなグラフィック要素などである。あるいはまた、前記メモリは、同定されたまたはグループ化されたメモリ位置において前記グラフィック要素を記憶し、前記グラフィック要素に関係した情報のさまざまな部分のために前記メモリ位置を同定するためにアクセスもしくは位置テーブルを使ってもよい。さらに、さまざまなグラフィック要素が、ディスプレイ・インターフェース２１８への出力のためにコントローラ２１４によってインタープリットされるコンピュータ命令に応答して生成されることができる。グラフィック要素の記憶に関するさらなる詳細は後述する。さらに、制御メモリ２２０の実装は、単一メモリ・デバイスまたは代替的に二つ以上のメモリ回路が通信上一緒に接続もしくは結合されて共有または共通メモリを形成したものといった、いくつかの可能な実施形態を含むことができる。さらに、メモリは、バス通信回路の一部のような他の回路と一緒に、より大きな回路の中に含められてもよい。
【００４４】
任意的に、コントローラ２１４は、それぞれオーディオ・プロセッサ２０６およびビデオ・プロセッサ２１０を使って、オーディオおよびビデオ・メディアからメタデータを抽出するよう適応されることができる。すなわち、垂直帰線消去期間中、ビデオに関連付けられた補助データ・フィールドまたはビデオ信号中の他の領域中でビデオ信号に含まれるメタデータが、コントローラ２１４とともにビデオ・プロセッサ２１０を使うことによって収穫されることができる。それにより、電子番組ガイドを生成する、受信したビデオについての説明情報を提供する、補助情報サービスをサポートするなどといった機能のために使われることができるメタデータが生成される。同様に、コントローラ２１４と協働するオーディオ・プロセッサ２０６は、オーディオ信号中にあってもよいオーディオ透かしを認識するよう適応されることができる。その場合、そのようなオーディオ透かしは、オーディオ信号の認識、オーディオ信号の源を同定するまたは他の何らかのサービスを実行するといった何らかのアクションを実行するために使われることができる。さらに、上記に挙げたアクションをサポートするためのメタデータは、ネットワークまたは他の源からくることができる。
【００４５】
図１に戻って参照すると、プロファイル・サーバー１７０は、ユーザーが受け取ることを望むメディア資産の型、使用されるソーシャル公開サービス、そのようなソーシャル公開サービスを通じてユーザーがつながっている特定パーティーを含むユーザーの選好を追跡するよう実装されることができる。ここで、あるユーザーについてのそのような情報の例が、本願の原理に基づいて、表１に示されている。
【００４６】
【表１】
2016517654.tif 000003
特定パーティーの列は、ユーザーが許可関係をもつ種々の人／エンティティを表わす。ソーシャル公開サービスは、ユーザーが、特定パーティーから公開されているメディア資産の形で通信を受領する特定のソーシャル公開サービスを示す。次の四つの列は、ピクチャー、メッセージ、オーディオおよびビデオを含む異なる型のメディア資産を表わす。YesまたはNoは、ユーザーが、あるメディア資産型を、ソーシャル公開サービスを通じて通信される特定パーティーから受領すると想定されているかどうかを示す。特定パーティー、メディア資産、メディア資産型、公開された資産の源、ソーシャル公開サービスなどを定義する情報は、ソーシャル公開サービス、メディア資産内に埋め込まれているメタデータ、メディア資産に関連付けられているメタデータ、メタデータの別個のストリーム、XMLコマンドなどからくるコマンドからくることできる。表１に挙げたようなメディア資産の通信を許可および防止する記述される動作は、記述される原理に従って、消費装置１０５、１１０、１１５、ソーシャル・ネットワーキング・サービス１２０、ウェブサイト１３０、通信ネットワーク１４０、メディア・サービス・プロバイダー１５０、フィルタリング・サーバー１６０、プロファイル・サーバー１７０、記憶サーバー１８０などによって実行されることができる。
【００４７】
図１に戻って参照すると、推薦サーバー１７５は、ユーザーについてのまたはユーザー群についてのユーザー・プロファイル情報に基づいてメディア資産推薦を与えるよう実装されることができる。表２は、提示される原理に基づく、種々のユーザーおよびユーザー群についてのメディア資産推薦の例を与えている。
【００４８】
【表２】
2016517654.tif 000004
表２におけるユーザーの列は、推薦が要求されている種々の組み合わせを表わす。メディア資産推薦は、主ユーザーおよびやはりユーザーであるそれぞれの友達についてなされる具体的な推奨を表わす。開示される原理に従って三人以上のユーザーの群が実装されることもできることを注意しておく。
【００４９】
図３は、提示される原理に従って推薦を生成するために使われるユーザー・インターフェース３００の表現である。ユーザー・インターフェース３００はいくつかのゾーン３０５、３１０、３１５および３２０を呈示しており、ユーザーは、マウス、タッチ入力、キーボードおよびユーザー入力を受け入れることのできる他の装置といった入力装置を使って、ユーザー表現３５０、３５５、３６０、３６５、３７０および３７５の任意のものをこれらのゾーンに動かすことができる。ユーザー表現３５０、３５５、３６０、３６５、３７０および３７５は、ユーザーのピクチャー、ユーザーのアバター、ユーザーに適合するテキスト、ユーザーのグラフィックとテキストの混合などであることができる。理想的には、ユーザー表現３５０、３５５、３６０、３６５、３７０および３７５はそれぞれ、プロファイル・サーバー１７０においてアクセスされ、記憶されることができる関連付けられたユーザー・プロファイル情報をもつ一意的なユーザーを表わす。推薦ゾーン３３０がゾーン３０５、３１０、３１５および３２０の間に置かれており、ここではメディア資産推薦としてテキストが示される代わりに、メディア資産からのピクチャー、ビデオ、ポスター・アートなどといったメディア資産からのグラフィック要素が示される。そのようなグラフィック要素は、推薦サーバー１７５から直接、メディア・サービス・プロバイダー１５０から、などからくることができる。好ましくは、推薦される諸メディア資産の短いビデオ・クリップが推薦ゾーン３３０に示され、ユーザー入力に応答して、対応する推薦される諸メディア資産の複数のビデオが巡回されて、推薦ゾーン３３０において示されることができる。推薦されるメディア資産のテキスト結果が結果ゾーン３８０に示されることもできる。推薦ゾーン３３０および結果領域３８０に示される推薦は、どのユーザー表現３５０、３５５、３６０、３６５、３７０および３７５がゾーン３０５、３１０、３１５および３２０内に置かれているかに依存する。
【００５０】
図４は、提示される原理に従って推薦を生成するために使われるユーザー・インターフェース４００の表現である。与えられている例では、第一のユーザーに適合するユーザー表現３５０がゾーン３０５内に置かれる。このアクションに応答して、推薦サーバー１７５が推薦ゾーン３３０内および結果３８０内に、第一のユーザーについての推薦に適合するデータを呈示することができる。
【００５１】
図５は、提示される原理に従って推薦を生成するために使われるユーザー・インターフェース５００の表現である。与えられている例では、第一のユーザーに適合するユーザー表現３５０がゾーン３０５内に置かれ、一方、第二のユーザーについてのユーザー表現３５５が第二のゾーン３１０内に置かれる。そのようなアクションの帰結は、推薦サーバー１７５に、推薦ゾーン３３０内および結果３８０内に呈示されるべき、第一および第二のユーザーについての推薦である推薦を生成させる。
【００５２】
図６は、三人のユーザーの組み合わせについて生成されるメディア資産推薦をもつユーザー・インターフェース６００を呈示している。具体的には、第一のユーザーのユーザー表現３５０、第二のユーザーのもの３５５および第三のユーザーのもの３６０がそれぞれゾーン３０５、３１０および３１５内に置かれる。推薦ゾーン３３０内および結果３８０内に示される推薦は、これら三人のユーザーについての推薦に適合する。図７は、第四のユーザーについてのユーザー表現３６５がゾーン３２０内に置かれる際に四人のユーザーについての組み合わせについて生成されるメディア資産推薦をもつユーザー・インターフェース７００を呈示している。
【００５３】
図８は、何人かのユーザーについて生成されるメディア資産推薦をもつユーザー・インターフェース８００を呈示している。この例では、ゾーン３０５、３１０、３１５および３２０は図３〜図７に示されるように前から存在していた。第五のユーザーに適合するユーザー表現３７０が既存のゾーンのわきに置かれるとき、ユーザー表現３７０が置かれることのできる新たなゾーン３２３が表示される。新たなゾーン３２３内にユーザー表現３７０が置かれることの結果は、五人のユーザーについてのメディア資産推薦の生成を引き起こす。ここで、各ユーザーはそれぞれユーザー表現３５０、３５５、３６０、３６５および３７５に適合する。必要に応じて新しいゾーンが追加されることができるが、追加できるゾーンの数にあらかじめ決定された限界があってもよいことを注意しておく。そのような限界は、審美的な理由によって決定される。開示されるユーザー・インターフェースの他のバージョンが、提示される原理に従って実装されることができる。
【００５４】
図９は、提示される原理に従って推薦を生成するために使われる方法９００についてのフローチャートの表現である。記載されるステップは、装置２００、消費装置１０５、１１０、１１５、ソーシャル・ネットワーキング・サービス１２０、ウェブサイト１３０、通信ネットワーク１４０、メディア・サービス・プロバイダー１５０、フィルタリング・サーバー１６０、プロファイル・サーバー１７０、推薦サーバー１７５、記憶サーバー１８０などを使って実装されることができる。
【００５５】
ステップ９０５では、複数のゾーン３０５、３１０、３１５および３２０を表示するユーザー・インターフェースが生成される。図３〜図８に示されるそのようなゾーンは、いかなる形であってもよい。ステップ９１０では、複数のユーザー表現３５０、３５５、３６０、３６５、３７０および３７５がユーザー・インターフェースに示される。ここで、各ユーザー表現は一意的なユーザーに対応する。図３〜図８に示されるようなそのようなユーザー表現はいかなる形であってもよい。
【００５６】
ステップ９１５では、ユーザー・インターフェースの操作によるユーザー入力に応答して、３５０、３５５、３６０、３７０および３７５のようなユーザー表現が３０５、３１０、３１５および３２０のようなゾーン内に置かれる。選択されたユーザー表現を選択されたゾーン内に置くことの結果は、ユーザー・プロファイル・サーバー１７０が推薦サーバー１７５にユーザー・プロファイル・データを呈示し、該データはそのような表現が対応するユーザーに対応するということである。次いで、推薦サーバー１７５は、ステップ９２０において、該ユーザー・プロファイル・データを使って、ルックアップまたは他の処理技法を実行し、そのユーザーにとって関心があるであろう一つまたは複数のメディア資産を推薦することになる。メディア資産推薦は、推薦ゾーン３３０においてはビデオ、ピクチャーおよびポスター・アートとして、結果領域３８０ではテキストとして呈示されることができる。
【００５７】
ステップ９２５では、ユーザー・インターフェースの操作によるユーザー入力に応答して、３５０、３５５、３６０、３７０および３７５のような追加的なユーザー表現が３０５、３１０、３１５および３２０のような空のゾーン内に置かれ、表示される。追加的なユーザー表現は第二のユーザーに適合する。ステップ９３０では、第一のユーザーおよび第二のユーザーに適合するユーザー・プロファイル・データがプロファイル・サーバー１７０からアクセスされることができ、該ユーザー・プロファイル・データを使って、推薦サーバー１７５がアクセスされて、上記二人のユーザーについての追加的なメディア資産推薦を生成することができる。次いで、追加的なメディア資産推薦はステップ９３５の間に推薦ゾーン３３０内および結果領域３８０内に呈示されることができる。二人より多くのユーザーおよび対応するメディア資産推薦を受け入れるために、ステップ９２５、９３０、９３５は繰り返されることができることを注意しておく。
【００５８】
図１０は、群内のユーザー表現に関連付けられたユーザー装置による受領のために結果ゾーン３８０に表示されている推薦を選択する、群内のユーザー表現を自動選択することを可能にするための例示的なプロセス・フロー１０００を示す図である。簡単のため、ソーシャル・ネットワーキング・サービス１２０、メディア・サービス１５０、プロファイル・サーバー１７０、推薦サーバー１７５および記憶サーバー１８０の組み合わせが、図１０の記述においてはサーバーと呼ばれる。要素の組み合わせは、内部または外部のメモリおよび／または記憶をもつ一つまたは複数のプロセッサまたはコンピュータで実装されてもよい。
【００５９】
簡単に言うと、消費装置１０５、１１０、１１５の一つのようなユーザー装置のコントローラ２１４が、ユーザーが少なくとも二つのユーザー表現３５０、３５５、３６０、３６５、３７０、３７５（図３）をゾーン３０５、３１０、３１５、３２０、３２３に、あるいは動かされるユーザー表現の数が図８に示した実施形態において五つより多い場合には他のゾーンに、動かすことを検出するとき、コントローラ２１４は動かされたユーザー表現の識別情報を記憶装置２１２に群として記憶し、サーバーにその群のことを通知する。サーバーに送られる上方情報は、群の名前および関連付けられたユーザー表現を含んでいてもよい。
【００６０】
プロセス１０００はステップ１００５で始まり、ユーザー表現がサーバーにログオンしたとき、ユーザー装置のコントローラ２１４が、図３に示されるユーザー表現３５０、３５５、３６０、３６５、３７０および３７５のような複数のユーザー表現の表示を提供するよう動作する。コントローラ２１４は、ビデオ・プロセッサ２１０に表示情報を提供することによって表示を可能にし、ビデオ・プロセッサ２１０によって生成された処理された信号が、ディスプレイ・インターフェース２１８を通じて表示装置（図示せず）において表示される。実際上、コントローラ２１４は、ビデオ・プロセッサ２１０が、コントローラ２１４によって送られた表示情報に応答して表示装置によって表示されるべき表示信号を生成できるようにする。
【００６１】
ステップ１０１０では、ユーザー装置のコントローラ２１４は、前記ユーザー表現のうちの、群を形成する少なくとも二つのユーザー表現のユーザー選択を受領するよう動作する。たとえば、図８に示されるように、ユーザー表現３５０、３５５、３６０、３６５および３７０が群を形成するよう選択される。それは、ユーザーがそれらのユーザー表現を図８に示されるようにゾーン３０５、３１０、３１５、３２０、３２３に位置させることによる。
【００６２】
ステップ１０１５では、ユーザー装置のコントローラ２１４は、メディア資産についての少なくとも一つの推薦の表示を提供するよう動作する。先に論じたように、群が形成されるとき、サーバーは、群内のユーザー表現に対応するユーザーに適合するユーザー・ファイル・データにアクセスし、その群についての前記少なくとも一つのメディア資産推薦を生成することができる。その群内のユーザー表現に関連付けられた他の任意のユーザー装置もサーバーにログオンしたときに前記少なくとも一つの推薦を受領するよう動作するべきであり、前記少なくとも一つの推薦を同様の仕方で表示することができることを注意しておくべきである。他の任意のユーザー装置もサーバーから群情報を受領することができ、よって対応するユーザーは該ユーザーがどの群にはいっているかを認識する。ある実施形態では、ユーザー表現は二つ以上の群にはいっていることができる。この実施形態では、対応するユーザーは、自分のユーザー装置において所与の時点でアクティブであるよう一つの群を選択しなければならない。
【００６３】
ある実施形態では、前記少なくとも一つの推薦におけるすべての推薦が結果ゾーン３８０に表示されるのではない。むしろ、図１２に示されるように、前記少なくとも一つの推薦における、特定の時間区間内、たとえば午前9:00ないし12:00にはいる開始時刻をもつ推薦の第一の集合のみが結果ゾーン３９０に表示されて、一種の電子番組ガイドを形成する。のちに述べるように、ユーザーは、表示区間を、たとえば9:00amないし12:00から図１３に示されるように午前12:00ないし午後3:00に変更して、結果ゾーン３８０内の表示における第一の集合を、午前12:00ないし午後3:00にはいる開始時刻をもつ、前記少なくとも一つの推薦における第二の集合で置き換えることが許容される。表示中の第一の集合は、ユーザー信号に応答して、結果ゾーン３８０において、より早い時間区間内に開始時刻をもつ、前記少なくとも一つの推薦における第三の集合によって置き換えられることができる。
【００６４】
ステップ１０２０では、ユーザー装置のコントローラ２１４は、群内のあるユーザー表現が、それぞれ群内のユーザー表現に関連付けられたユーザー装置による受領のために前記少なくとも一つの推薦のうちの一つを選択する群内の許容ユーザー表現として自動的に選択されることを示すインジケーターの表示を提供するよう動作する。インジケーターの例は図１１に示される選択されたユーザー表現を指している矢印３９０である。インジケーターは、ある実施形態では、単に選択されたユーザー表現を、群内の他のものとは異なる色で表示することであってもよい。指示が、選択された許容ユーザー表現をユーザーが他と区別できるようにする限り、該指示は良好なインジケーターである。ある実施形態では、各ユーザーは、コントローラ２１４によって、自分自身のインジケーターをカスタマイズすることを許容されてもよい。
【００６５】
ある実施形態では、サーバーは、それぞれ群内のユーザー表現に関連付けられたユーザー装置による受領のために前記少なくとも一つの推薦のうちの一つを選択するための群内の第一の許容ユーザー表現として、群を形成するユーザー表現を自動的に選択する。ユーザー表現が群のメンバーシップを変更するときは、そのユーザー表現は新しい群においても前記第一の許容ユーザー表現として選択されてもよい。サーバーはその選択を、現在サーバーにログオンしている群内のユーザー表現に関連付けられたユーザー装置に送り、それによりそれらのユーザー装置上で同じ指示が表示されることができる。
【００６６】
もう一つの実施形態では、サーバーは、群内のユーザー表現の一つをランダムにその群についての許容ユーザー表現として選択できる。選択されるユーザー表現は好ましくは、現在サーバーにログオンしている。
【００６７】
さらにもう一つの実施形態では、プロセス・フロー１０００は、群内の選択された許容ユーザー表現が選択を行なった後に、すなわち群内のユーザー表現に関連付けられた装置による再生のために前記少なくとも一つの推薦のうちの一つを選択した後に、ユーザー装置のコントローラ２１４が、前記許容ユーザー表現として群内の別のユーザー表現が選択されることを示すインジケーターの表示を提供するよう動作するステップを含んでいてもよい。ひとたびサーバーが前記少なくとも一つの推薦の一つの選択を受領したら、サーバーは、群内の別のユーザー表現を群内の許容ユーザー表現として選択し、現在サーバーにログオンしている群内のユーザー表現に関連付けられたユーザー装置に通知し、諸ユーザー装置は、群内の別のユーザーが群内の許容ユーザー表現として選択されたことを示すインジケーターを表示できる。メンバー・ユーザー表現が新たにサーバーにログオンしたときは、サーバーは自動的に新たにログインしたユーザー表現に対応するユーザー装置に、新たにログインしたユーザー表現がメンバーである各群について、群情報および関連付けられた選択された許容ユーザー表現を送る。
【００６８】
ある実施形態では、公平のため、ひとたび群内のあるユーザー表現が選択されたら、サーバーは、群内の他のすべてのユーザー表現が一度選択されるまでは、そのユーザー表現を再び許容ユーザー表現として選択すべきではない。実際上、各ラウンドにおいて、各ユーザー表現は一度、許容ユーザー表現として選択される。このことは、各ユーザー表現がほぼ同じ選択される可能性をもつことを保証する。選択アルゴリズムは、ラウンドロビンまたはランダムであることができる。ランダム・アルゴリズムが使われる場合、サーバーは公平性を保証するために乱数発生器からの出力をチェックするべきである。たとえば、ユーザー表現３５０、３５５および３６５がすでに選択されていて、別のユーザー表現を選択する過程において、乱数発生器からの出力がユーザー表現３６０および３７０の一方でない場合、サーバーは、ユーザー表現３６０および３７０の一方が乱数発生器によって生成されるまで再び乱数発生器を走らせるべきである。
【００６９】
図１２の例示的なインターフェース１２００において示されるように、結果ゾーン３８０では、ユーザー・インターフェース１２００は、前記少なくとも一つの推薦のうち特定の時間区間（たとえば午前9時から12時）にはいる開始時刻をもつ推薦（前記第一の集合）を表示するだけである。この実施形態では、ユーザーは、たとえばあるユーザー表現をある方向に動かして他のユーザー表現をも同じ方向に動くよう強制することによって、前記特定の時間区間を進ませる（前方に行かせる）または後退させる（後ろに行かせる）ことができる。たとえば、図１２に示されるように、ユーザーがユーザー表現３５０を時計回りに動かす場合、時間区間は午前9時〜12時から図１３に示されるような午後12時〜3時に進む。同様に、図１３においてユーザーがユーザー表現３５０を反時計回りに動かす場合、時間区間は午前9時〜12時に戻る。ある実施形態では、ユーザーは、同様の効果を達成するために、ユーザー表現を動かさなくても、タブレットのような入力装置の周辺領域において指をある方向または逆方向に動かすことができる。
【００７０】
図１２に示されるように、群は円形に表示されるが、コントローラ２１４は群内のユーザー配位をリストとして配置してもよく、指をある方向に動かすと時間区間が進み、リストに沿って反対方向に動かすと時間区間が後退する。
【００７１】
ある実施形態では、サーバーは、群についての推薦の選択のコストを、そのような選択がなされたときの群のすべてのメンバーに分配する。選択がなされた後で新しいユーザー表現が群に参加する場合には、サーバーは新しいユーザー表現に該新しいユーザー表現がその選択を再生のために受領することを望むかどうかを尋ねる。答えが肯定であれば、サーバーは、その選択の再生が到来したときにその選択のコンテンツをその新しいユーザー表現に関連付けられたユーザー装置に送り、その新しいユーザー表現に等しい負担分を課金する。答えが否定であれば、その新しいユーザー表現に関連付けられたユーザー装置はその選択を受領せず、課金されない。
【００７２】
さらにもう一つの実施形態では、選択がなされるときにユーザー表現が群のメンバーであり、のちに、選択された推薦の開始時刻が到達する前にその群から抜ける場合、サーバーは、すべてのユーザーに入手可能な公開された一組の規則に従って、そのユーザー表現に課金したり課金しなかったりしうる。
【００７３】
ある実施形態では、スマート・テレビジョンまたはセットトップボックスのようなユーザー装置は、異なるローカル・ユーザー・アカウントをもつ異なるユーザーによって共有されることがあるが、それらのユーザーは単に一つのサーバー・アカウントを共有する。よって、サーバーは、このユーザー装置について単に一つのユーザー・プロファイルを維持する。この実施形態では、各ユーザーについてのローカル・ユーザー・プロファイルはローカルに記憶される。ユーザーがサーバーにログオンしたとき、ユーザー装置のコントローラ２１４は、ステップ１００５と同様にユーザー表現を表示し、ステップ１０１０と同様に、群を形成する少なくとも二つのユーザー表現の選択を受領する。しかしながら、サーバーは群については通知されない。むしろ、コントローラ２１４は、群内の諸メンバー・ユーザー表現の諸ローカル・プロファイルに適合する新しいプロファイル・データを生成し、サーバーに、単一ユーザー表現のためのこの新しいプロファイル・データを使うよう要求する。応答して、サーバーは、その新しいプロファイル・データに従って、少なくとも一つの推薦をユーザー装置に送る。グループ・メンバーシップが変わるたびに、新しいプロファイル・データがコントローラ２１４によって生成され、サーバーに送られる。ユーザー装置のコントローラ２１４は、ステップ１０１５と同様に、前記少なくとも一つの推薦の表示を提供する。この実施形態におけるユーザー装置のコントローラ２１４は、上記のアルゴリズムを使って群内の許容ユーザー表現としてあるユーザー表現を選択することおよびステップ１０２０と同様に群内のあるユーザー表現が許容ユーザー表現として選択されていることを示すインジケーターの表示を提供することをも受け持つ。コントローラ２１４は、各ユーザー表現が異なるユーザー装置に関連付けられているマルチユーザー装置環境について先述した種々の実施形態におけるのと同様の機能をも実行する。
【００７４】
図１４は、それぞれ群内のユーザー表現に関連付けられたユーザー装置による受領のために前記少なくとも一つの推薦のうちの一つを選択する、群内のあるユーザー表現を自動選択することのための、サーバーにおける例示的なプロセス・フロー１４００を示している。このプロセス・フローは、サーバー内の単数または複数のプロセッサによって実行されてもよい。
【００７５】
ステップ１４０５では、サーバーは、ユーザー表現に関連付けられたユーザー装置から、それぞれユーザーを表わす少なくとも二つのユーザー表現の群の形成を受領する。
【００７６】
ステップ１４１０では、サーバーは、先述したように、群内の前記少なくとも二つのユーザー表現のプロファイルに従って少なくとも一つの推薦を提供する。
【００７７】
ステップ１４１５では、サーバーは、それぞれ群内のユーザー表現に関連付けられたユーザー装置による受領のために前記少なくとも一つの推薦のうちの一つを選択する、群内の許容ユーザー表現として、群内の前記少なくとも二つのユーザー表現のうちの第一のものを選択する。サーバーは、群内の許容ユーザー表現以外のユーザー表現による選択は拒否するべきである。
【００７８】
ある実施形態では、サーバーは、それぞれ群内のユーザー表現に関連付けられたユーザー装置による受領のために前記少なくとも一つの推薦のうちの一つを選択する、群内の第一の許容ユーザー表現として、群を形成するユーザー表現を自動的に選択する。ユーザー表現が群のメンバーシップを変更するときは、該ユーザー表現は、新たな群においても第一の許容ユーザー表現として選択されてもよい。
【００７９】
もう一つの実施形態では、サーバーは、前記選択の開始時刻が到達したときに、群内のユーザー表現に関連付けられたユーザー装置に前記選択のコンテンツを送るべきである。好ましくは、群内のユーザー表現に関連付けられたユーザー装置はサーバーにログオンしているべきである。
【００８０】
さらにもう一つの実施形態では、サーバーは、群についての許容ユーザー表現として、群内のユーザー表現の一つをランダムに選択することができる。選択されたユーザー表現は好ましくは、現在サーバーにログオンしている。
【００８１】
さらにもう一つの実施形態では、ひとたびサーバーが前記少なくとも一つの推薦のうちの一つの推薦の選択を受領したら、サーバーは、群内の別のユーザー表現を群内の許容ユーザー表現として選択し、現在サーバーにログオンしている群内のユーザー表現に関連付けられたユーザー装置に通知し、諸ユーザー装置は、群内の別のユーザーが群内の許容ユーザー表現として選択されたことを示すインジケーターを表示するよう動作できる。メンバー・ユーザー表現が新たにサーバーにログオンしたときは、サーバーは自動的に新たにログインしたユーザー表現に対応するユーザー装置に、新たにログインしたユーザー表現がメンバーである各群について、群情報および関連付けられた選択された許容ユーザー表現を送る。
【００８２】
ある実施形態では、上記で論じたように、公平のため、ひとたび群内のあるユーザー表現が選択されたら、サーバーは、群内の他のすべてのユーザー表現が一度選択されるまでは、そのユーザー表現を再び許容ユーザー表現として選択すべきではない。実際上、各ラウンドにおいて、各ユーザー表現は一度、許容ユーザー表現として選択される。このことは、各ユーザー表現がほぼ同じ選択される可能性をもつことを保証する。選択アルゴリズムは、ラウンドロビンまたはランダムであることができる。ランダム・アルゴリズムが使われる場合、サーバーは公平性を保証するために乱数発生器からの出力をチェックするべきである。たとえば、ユーザー表現３５０、３５５および３６５がすでに選択されていて、別のユーザー表現を選択する過程において、乱数発生器からの出力がユーザー表現３６０および３７０の一方でない場合、サーバーは、ユーザー表現３６０および３７０の一方が乱数発生器によって生成されるまで再び乱数発生器を走らせるべきである。
【００８３】
ある実施形態では、サーバーは、群についてのある推薦の選択のコストを、そのような選択がなされたときの群のすべてのメンバーに分配する。選択がなされた後で新しいユーザー表現が群に参加する場合には、サーバーは新しいユーザー表現に該新しいユーザー表現がその選択を再生のために受領することを望むかどうかを尋ねる。答えが肯定であれば、サーバーは、その選択の再生が到来したときにその選択のコンテンツをその新しいユーザー表現に関連付けられたユーザー装置に送り、その新しいユーザー表現に等しい負担分を課金する。答えが否定であれば、その新しいユーザー表現に関連付けられたユーザー装置はその選択を受領せず、課金されない。
【００８４】
さらにもう一つの実施形態では、選択がなされるときにユーザー表現が群のメンバーであり、のちに、選択された推薦の開始時刻が到達する前にその群から抜ける場合、サーバーは、すべてのユーザーに入手可能な公開された一組の規則に従って、そのユーザー表現に課金したり課金しなかったりしうる。
【００８５】
しかしながら、図面に示された要素はハードウェア、ソフトウェアまたはそれらの組み合わせのさまざまな形で実装されることができることは理解しておくべきである。好ましくは、これらの要素は、プロセッサ、メモリおよび入出力インターフェースを含んでいてもよい一つまたは複数の適切にプログラムされた汎用装置上のハードウェアおよびソフトウェアの組み合わせにおいて実装される。
【００８６】
本稿は、本開示の原理を例解する。よって、当業者は、本稿で明示的に記載されたり示されたりしていなくても本開示の原理を具現し、その範囲内に含まれるさまざまな構成を考案できるであろうことは理解されるであろう。
【００８７】
本稿に記載されるあらゆる例および条件付きの言辞は、本開示の原理および発明者によって当技術分野の発展のために寄与される概念の理解において読者を助ける教育目的を意図されており、そのような特定的に挙げられる例および条件に限定することはないものとして解釈されるものとする。
【００８８】
さらに、本開示の原理、側面および実施形態ならびにその個別的な例を挙げる本稿におけるあらゆる陳述は、その構造的等価物および機能的等価物両方を包含することが意図される。さらに、そのような等価物が現在知られている等価物および将来開発される等価物の両方、すなわち構造に関わりなく同じ機能を実行する開発される任意の要素を含むことが意図される。
【００８９】
よって、たとえば、当業者は、本稿で呈示されるブロック図が本開示の原理を具現する例示的な回路の概念的な図を表していることを理解するであろう。同様に、あらゆるフローチャート、流れ図、状態遷移図、擬似コードなどがさまざまなプロセスを表しており、実質的にコンピュータ可読媒体中に表現でき、よってコンピュータやプロセッサが明示的に示されているか否かによらず、コンピュータまたはプロセッサによって実行できることも理解されるであろう。コンピュータ可読媒体および書き込まれたコードは、一時的状態（信号）および非一時的状態（たとえば、CD-ROM、DVD、ブルーレイ、ハードドライブ、フラッシュ・カードまたは他の型の有体の記憶媒体）において実装されることができる。
【００９０】
図面に示されているさまざまな要素の機能は、専用ハードウェアおよび適切なソフトウェアとの関連でソフトウェアを実行する機能をもつハードウェアの使用を通じて提供されてもよい。プロセッサによって提供されるとき、そうした機能は単一の専用プロセッサによって提供されても、単一の共有プロセッサによって提供されても、あるいは一部が共有されていてもよい複数の個別プロセッサによって提供されてもよい。さらに、用語「プロセッサ」または「コントローラ」の明示的な使用は、ソフトウェアを実行する機能をもつハードウェアのみを指すものと解釈すべきではなく、暗黙的に、限定なしに、デジタル信号プロセッサ（DSP）ハードウェア、ソフトウェアを記憶するための読み出し専用メモリ（ROM）、ランダム・アクセス・メモリ（RAM）および不揮発性記憶装置を含んでいてもよい。
【００９１】
従来のものおよび／またはカスタムのその他のハードウェアが含まれていてもよい。同様に、図面に示されるいかなるスイッチも単に概念的なものである。その機能はプログラム論理の動作を通じて、専用論理を通じて、プログラム制御と専用論理の相互作用を通じて、あるいはさらには手動で実行されてもよい。特定の技法は、コンテキストからより特定的に理解されるままに、実装者によって選択可能である。
【００９２】
本稿では本開示の教示を組み込む実施形態が詳細に示され、説明されているが、当業者は、やはりこれらの教示を組み込んでいる数多くの他の変形実施形態を容易に考案できる。上記の教示に照らして修正および変形が当業者によってできることを注意しておく。
【図１】
2016517654.tif 000005
【図２】
2016517654.tif 000006
【図３】
2016517654.tif 000007
【図４】
2016517654.tif 000008
【図５】
2016517654.tif 000009
【図６】
2016517654.tif 000010
【図７】
2016517654.tif 000011
【図８】
2016517654.tif 000012
【図９】
2016517654.tif 000013
【図１０】
2016517654.tif 000014
【図１１】
2016517654.tif 000015
【図１２】
2016517654.tif 000016
【図１３】
2016517654.tif 000017
【図１４】
2016517654.tif 000018
【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
推薦を選択する方法であって、
それぞれユーザーを表わす複数のユーザー表現の表示を提供するステップと、
ユーザー入力に応答して、群を形成する前記ユーザー表現のうちの少なくとも二つのユーザー表現の選択を受領するステップと、
前記群が形成されたのちにメディア資産についての少なくとも一つの推薦の表示を提供するステップと、
それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示を提供するステップと、
前記群内の前記の選択された許容ユーザー表現が選択を行なった後に、前記許容ユーザー表現として前記群内の別のユーザー表現が選択されることを示す前記インジケーターの表示を提供するステップであって、前記の選択された許容ユーザー表現は、前記群内の他のすべてのユーザー表現が前記許容ユーザー表現として選択されてしまうまで再び選択されることを妨げられ、ユーザー表現がランダムな仕方およびラウンドロビン式の一方で前記許容ユーザー表現として選択される、ステップとを含む、
方法。
【請求項２】
第一の時間区間にはいる前記少なくとも一つの推薦の第一の集合が開始時刻に従って表示され、前記第一の集合の開始時刻は前記第一の時間区間内である、請求項１記載の方法。
【請求項３】
前記群内の前記ユーザー表現の表示を円状に提供するステップをさらに含む、請求項２記載の方法。
【請求項４】
前記群のまわりのある方向の回転運動を検出するのに応答して、前記第一の集合を、表示において前記少なくとも一つの推薦内の第二の集合で置き換えるステップであって、第二の時間区間が前記第一の時間区間より後であり、前記少なくとも一つの推薦内の前記第二の集合は前記第二の時間区間内に開始時刻をもつ、ステップと、
前記群のまわりの逆方向の回転運動を検出するのに応答して、前記第一の集合を、表示において前記少なくとも一つの推薦内の第三の集合で置き換えるステップであって、第三の時間区間が前記第一の時間区間より前であり、前記少なくとも一つの推薦内の前記第三の集合は前記第三の時間区間内に開始時刻をもつ、ステップとをさらに含む、
請求項３記載の方法。
【請求項５】
推薦を選択するためのユーザー装置であって、
表示装置とのインターフェースをもつ手段と、
前記インターフェースをもつ手段が表示信号を生成できるようにする手段とを有しており、前記生成できるようにする手段は、それぞれユーザーを表わす複数のユーザー表現の表示と、群を形成する前記ユーザー表現のうちの少なくとも二つのユーザー表現の選択と、前記群が形成された後の、メディア資産についての少なくとも一つの推薦の表示と、それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示とを可能にするよう動作する、
ユーザー装置。
【請求項６】
前記生成できるようにする手段は、前記群内の前記ユーザー表現の円状の表示を可能にするよう動作する、請求項５記載のユーザー装置。
【請求項７】
前記生成できるようにする手段は、前記群のまわりのある方向の回転運動を検出するのに応答して、前記第一の集合を、表示において前記少なくとも一つの推薦内の第二の集合で置き換えるよう動作し、第二の時間区間が前記第一の時間区間より後であり、前記少なくとも一つの推薦内の前記第二の集合は前記第二の時間区間内に開始時刻をもち、前記生成できるようにする手段は、前記群のまわりの逆方向の回転運動を検出するのに応答して、前記第一の集合を、表示において前記少なくとも一つの推薦内の第三の集合で置き換え、第三の時間区間が前記第一の時間区間より前であり、前記少なくとも一つの推薦内の前記第三の集合は前記第三の時間区間内に開始時刻をもつ、請求項６記載のユーザー装置。
【請求項８】
推薦を提供する方法であって、
それぞれユーザーを表わす少なくとも二つのユーザー表現の群の形成を受領し、
前記少なくとも二つのユーザー表現のプロファイルに従って少なくとも一つの推薦を提供し、
それぞれ前記群内の前記ユーザー表現に関連付けられているユーザー装置による受領のために前記少なくとも一つの推薦のうちの一つを選択する前記群内の許容ユーザー表現として、前記群内の前記少なくとも二つのユーザー表現のうちの第一のものを選択することを含む、
方法。
【請求項９】
ユーザー表現は、ランダムな仕方で前記許容ユーザー表現として選択される、請求項８記載の方法。
【請求項１０】
ユーザー表現は、ラウンドロビン式に前記許容ユーザー表現として選択される、請求項８記載の方法。
【請求項１１】
前記少なくとも一つの推薦のうちの前記選択されたもののコンテンツを前記群内の前記ユーザー表現にそれぞれ関連付けられたユーザー装置に送るステップをさらに含む、請求項８記載の方法。
【手続補正２】
【補正対象書類名】明細書
【補正対象項目名】００９２
【補正方法】変更
【補正の内容】
【００９２】
本稿では本開示の教示を組み込む実施形態が詳細に示され、説明されているが、当業者は、やはりこれらの教示を組み込んでいる数多くの他の変形実施形態を容易に考案できる。上記の教示に照らして修正および変形が当業者によってできることを注意しておく。
いくつかの付記を記載しておく。
〔付記１〕
推薦を選択する方法であって、
それぞれユーザーを表わす複数のユーザー表現の表示を提供するステップと、
ユーザー入力に応答して、群を形成する前記ユーザー表現のうちの少なくとも二つのユーザー表現の選択を受領するステップと、
前記群が形成されたのちにメディア資産についての少なくとも一つの推薦の表示を提供するステップと、
それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示を提供するステップとを含む、
方法。
〔付記２〕
前記少なくとも一つの推薦は、前記群内のユーザー表現に関連付けられた前記ユーザー装置における表示のために利用可能である、付記１記載の方法。
〔付記３〕
前記群内の前記の選択された許容ユーザー表現が選択を行なった後に、前記許容ユーザー表現として前記群内の別のユーザー表現が選択されることを示す前記インジケーターの表示を提供するステップをさらに含む、付記２記載の方法。
〔付記４〕
前記の選択された許容ユーザー表現は、前記群内の他のすべてのユーザー表現が前記許容ユーザー表現として選択されてしまうまで再び選択されることを妨げられる、付記３記載の方法。
〔付記５〕
ユーザー表現がランダムな仕方で前記許容ユーザー表現として選択される、付記４記載の方法。
〔付記６〕
ユーザー表現がラウンドロビン式に前記許容ユーザー表現として選択される、付記４記載の方法。
〔付記７〕
第一の時間区間にはいる前記少なくとも一つの推薦の第一の集合が開始時刻に従って表示され、前記第一の集合の開始時刻は前記第一の時間区間内である、付記２記載の方法。
〔付記８〕
前記群内の前記ユーザー表現の表示を円状に提供するステップをさらに含む、付記７記載の方法。
〔付記９〕
前記群のまわりのある方向の回転運動を検出するのに応答して、前記第一の集合を、表示において前記少なくとも一つの推薦内の第二の集合で置き換えるステップであって、第二の時間区間が前記第一の時間区間より後であり、前記少なくとも一つの推薦内の前記第二の集合は前記第二の時間区間内に開始時刻をもつ、ステップと、
前記群のまわりの逆方向の回転運動を検出するのに応答して、前記第一の集合を、表示において前記少なくとも一つの推薦内の第三の集合で置き換えるステップであって、第三の時間区間が前記第一の時間区間より前であり、前記少なくとも一つの推薦内の前記第三の集合は前記第三の時間区間内に開始時刻をもつ、ステップとをさらに含む、
付記８記載の方法。
〔付記１０〕
前記選択された推薦はサーバーによって待ち行列に入れられ、前記サーバーは、前記少なくとも一つの選択された推薦のうちの前記選択されたものの開始時刻が到達したときに、前記選択された推薦を送達する、付記２記載の方法。
〔付記１１〕
推薦を選択するためのユーザー装置であって、
表示装置とのインターフェースをもつビデオ・プロセッサと、
前記ビデオ・プロセッサが表示信号を生成できるようにするコントローラとを有しており、前記コントローラは、それぞれユーザーを表わす複数のユーザー表現の表示と、群を形成する前記ユーザー表現のうちの少なくとも二つのユーザー表現の選択と、前記群が形成された後の、メディア資産についての少なくとも一つの推薦の表示と、それぞれ前記群内の前記ユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示とを可能にするよう動作する、
ユーザー装置。
〔付記１２〕
前記群内の前記の選択された許容ユーザー表現が選択をしたのち、前記コントローラは、前記許容ユーザー表現として前記群内の別のユーザー表現が選択されることを示す前記インジケーターの表示を可能にするよう動作する、付記１１記載のユーザー装置。
〔付記１３〕
前記の選択された許容ユーザー表現は、前記群内の他のすべてのユーザー表現が前記許容ユーザー表現として選択されてしまうまで再び選択されることを妨げられる、付記１２記載のユーザー装置。
〔付記１４〕
前記コントローラは、開始時刻に従っての、第一の時間区間にはいる前記少なくとも一つの推薦の第一の集合の表示を可能にするよう動作し、前記第一の集合の開始時刻は前記第一の時間区間内である、付記１２記載のユーザー装置。
〔付記１５〕
前記コントローラは、前記群内の前記ユーザー表現の円状の表示を可能にする、付記１４記載のユーザー装置。
〔付記１６〕
前記コントローラは、前記群のまわりのある方向の回転運動を検出するのに応答して、前記第一の集合を、表示において前記少なくとも一つの推薦内の第二の集合で置き換えるよう動作し、第二の時間区間が前記第一の時間区間より後であり、前記少なくとも一つの推薦内の前記第二の集合は前記第二の時間区間内に開始時刻をもち、
前記コントローラは、前記群のまわりの逆方向の回転運動を検出するのに応答して、前記第一の集合を、表示において前記少なくとも一つの推薦内の第三の集合で置き換え、第三の時間区間が前記第一の時間区間より前であり、前記少なくとも一つの推薦内の前記第三の集合は前記第三の時間区間内に開始時刻をもつ、
付記１５記載のユーザー装置。
〔付記１７〕
推薦を選択するためのユーザー装置であって、
表示装置とのインターフェースをもつ手段と、
前記インターフェースをもつ手段が表示信号を生成できるようにする手段とを有しており、前記生成できるようにする手段は、それぞれユーザーを表わす複数のユーザー表現の表示と、群を形成する前記ユーザー表現のうちの少なくとも二つのユーザー表現の選択と、前記群が形成された後の、メディア資産についての少なくとも一つの推薦の表示と、それぞれ前記群内のユーザー表現に関連付けられているユーザー装置による受領のために前記少なくとも一つの推薦のうちの一つを選択する前記群内の許容ユーザー表現として、前記群内のあるユーザー表現が選択されることを示すインジケーターの表示とを可能にするよう動作する、
ユーザー装置。
〔付記１８〕
前記群内の前記選択された許容ユーザー表現が選択をしたのち、前記生成できるようにする手段は、前記許容ユーザー表現として前記群内の別のユーザー表現が選択されることを示す前記インジケーターの表示を可能にするよう動作する、付記１７記載のユーザー装置。
〔付記１９〕
前記の選択された許容ユーザー表現は、前記群内の他のすべてのユーザー表現が前記許容ユーザー表現として選択されてしまうまで再び選択されることを妨げられる、付記１８記載のユーザー装置。
〔付記２０〕
前記生成できるようにする手段は、開始時刻に従っての、第一の時間区間にはいる前記少なくとも一つの推薦の第一の集合の表示を可能にするよう動作し、前記第一の集合の開始時刻は前記第一の時間区間内である、付記１８記載のユーザー装置。
〔付記２１〕
前記生成できるようにする手段は、前記群内の前記ユーザー表現の円状の表示を可能にするよう動作する、付記２０記載のユーザー装置。
〔付記２２〕
前記生成できるようにする手段は、前記群のまわりのある方向の回転運動を検出するのに応答して、前記第一の集合を、表示において前記少なくとも一つの推薦内の第二の集合で置き換えるよう動作し、第二の時間区間が前記第一の時間区間より後であり、前記少なくとも一つの推薦内の前記第二の集合は前記第二の時間区間内に開始時刻をもち、前記生成できるようにする手段は、前記群のまわりの逆方向の回転運動を検出するのに応答して、前記第一の集合を、表示において前記少なくとも一つの推薦内の第三の集合で置き換え、第三の時間区間が前記第一の時間区間より前であり、前記少なくとも一つの推薦内の前記第三の集合は前記第三の時間区間内に開始時刻をもつ、付記２１記載のユーザー装置。
〔付記２３〕
推薦を提供する方法であって、
それぞれユーザーを表わす少なくとも二つのユーザー表現の群の形成を受領し、
前記少なくとも二つのユーザー表現のプロファイルに従って少なくとも一つの推薦を提供し、
それぞれ前記群内の前記ユーザー表現に関連付けられているユーザー装置による受領のために前記少なくとも一つの推薦のうちの一つを選択する前記群内の許容ユーザー表現として、前記群内の前記少なくとも二つのユーザー表現のうちの第一のものを選択することを含む、
方法。
〔付記２４〕
前記群内の前記選択された許容ユーザー表現が選択を行なった後に、前記許容ユーザー表現として前記群内の別のユーザー表現を選択するステップをさらに含む、付記２３記載の方法。
〔付記２５〕
前記選択された許容ユーザー表現は、前記群内の他のすべてのユーザー表現が前記許容ユーザー表現として選択されてしまうまで再び選択されることを妨げられる、付記２４記載の方法。
〔付記２６〕
ユーザー表現は、ランダムな仕方で前記許容ユーザー表現として選択される、付記２５記載の方法。
〔付記２７〕
ユーザー表現は、ラウンドロビン式に前記許容ユーザー表現として選択される、付記２５記載の方法。
〔付記２８〕
前記少なくとも一つの推薦のうちの前記選択されたもののコンテンツを前記群内の前記ユーザー表現にそれぞれ関連付けられたユーザー装置に送るステップをさらに含む、付記２３記載の方法。
【国際調査報告】
2016517654.tif 000019
2016517654.tif 000020
2016517654.tif 000021